(57)【特許請求の範囲】
【請求項１】
タンパク質溶液及び結晶化剤溶液が供給されるチャンバー部と、
前記チャンバー部内に、前記タンパク質溶液を供給するタンパク質溶液供給部と、
前記チャンバー部内に、前記結晶化剤溶液を供給する結晶化剤溶液供給部と、
前記チャンバー部内に収容された前記タンパク質溶液及び前記結晶化剤溶液の混合液における前記タンパク質の濃度と前記結晶化剤の濃度との関係を、該タンパク質及び該結晶化剤の溶解状態図における未飽和領域と、準安定領域と、自動核形成領域との間で、調節する制御部と、
を備え、
前記制御部は、前記未飽和領域から前記自動核形成領域を経て前記準安定領域へ遷移するプロセスサイクルを繰り返す制御を行う、
タンパク質結晶成長装置。
【請求項２】
前記制御部に接続され、且つ、前記チャンバー部内に不活性ガスを供給する不活性ガス供給部と、
前記制御部に接続され、且つ、前記チャンバー部内を減圧する減圧部と、
前記制御部に接続され、且つ、前記チャンバー部内の減圧を停止する減圧停止部と、
前記制御部に接続され、且つ、前記チャンバー部内を加圧する加圧部と、
を備える請求項１記載のタンパク質結晶成長装置。
【請求項３】
前記タンパク質溶液供給部は、前記制御部に接続されており、
前記結晶化剤溶液供給部は、前記制御部に接続されている、
請求項１又は２記載のタンパク質結晶成長装置。
【請求項４】
前記チャンバー部は、成長する前記タンパク質の結晶を保持する基板を備え、
前記基板は、前記不活性ガスが供給され、且つ、前記タンパク質溶液及び前記結晶化剤溶液又は前記混合液が注入されるホール部と、前記不活性ガスが流通する第１経路と、前記タンパク質溶液が流通する第２経路とを有し、
前記第１経路は、前記ホール部の上部と前記基板の端部とを接続し、且つ、前記基板の上面に沿って形成され、
前記第２経路は、前記ホール部の下部と前記基板の端部とを接続し、且つ前記基板の底面に沿って形成される、
請求項１〜３のいずれか１項記載のタンパク質結晶成長装置。
【請求項５】
前記制御部は、前記減圧部と前記減圧停止部とを交互に及び／又は繰り返し動作させる、
請求項１〜４のいずれか１項記載のタンパク質結晶成長装置。
【請求項６】
前記制御部に接続され、且つ、前記タンパク質の結晶の状態を検出する検出部を有する、
請求項１〜５のいずれか１項記載のタンパク質結晶成長装置。
【請求項７】
前記検出部は、前記タンパク質における結晶の成長状態、及び／又は、前記タンパク質における結晶表面の溶解状態を検出する、
請求項６記載のタンパク質結晶成長装置。
【請求項８】
前記制御部は、前記チャンバー部内に前記タンパク質の種結晶が予め収容された状態、又は、前記チャンバー部内で前記タンパク質の種結晶が形成された状態から、前記減圧部を動作させて前記チャンバー部内を減圧し、前記混合液中の水分を蒸発させることにより、前記タンパク質及び前記結晶化剤の溶解状態図において、前記混合液の状態を、前記未飽和領域から前記自動核形成領域へ遷移させて前記種結晶の成長を開始した後、前記減圧停止部を動作させて前記チャンバー部内の減圧を停止させ、前記タンパク質溶液中の前記タンパク質を前記タンパク質の結晶の成長に用いて前記混合液中の前記タンパク質の濃度を低下させることにより、前記混合液の状態を、前記自動核形成領域から前記準安定領域を経て前記未飽和領域へ遷移させる、
請求項１〜７のいずれか１項記載のタンパク質結晶成長装置。
【請求項９】
前記制御部は、前記タンパク質溶液供給部を動作させて前記未飽和領域に到達した前記混合液に、前記タンパク質溶液を供給して前記混合液中の前記タンパク質濃度を増加させる
請求項８記載のタンパク質結晶成長装置。
【請求項１０】
チャンバー部内に、タンパク質溶液を供給するステップと、
前記チャンバー部内に、結晶化剤溶液を供給するステップと、
前記チャンバー部内に収容された前記タンパク質溶液及び前記結晶化剤溶液の混合液における前記タンパク質の濃度と前記結晶化剤の濃度との関係を、該タンパク質及び該結晶化剤の溶解状態図における未飽和領域と、準安定領域と、自動核形成領域との間で、調節するステップと、
を含み、
前記未飽和領域から前記自動核形成領域を経て前記準安定領域へ遷移するプロセスサイクルを繰り返す、
タンパク質結晶成長方法。
【請求項１１】
前記混合液が収容された前記チャンバー内を不活性ガスで置換するステップと、
前記チャンバー部内に前記タンパク質の種結晶を予め収容した状態、又は、前記チャンバー内で前記タンパク質の種結晶を形成させた状態から、前記チャンバー部内を減圧するステップと、
前記タンパク質の結晶が成長を開始したときに、前記チャンバー部内の減圧を停止するステップと、
前記タンパク質の結晶表面が溶解したときに、前記混合液に前記タンパク質溶液を供給するステップと、
を含む請求項１０記載のタンパク質結晶成長方法。
【請求項１２】
前記減圧するステップと、前記減圧を停止するステップとを交互に及び／又は繰り返し実行する、
請求項１１記載のタンパク質結晶成長方法。
【請求項１３】
前記タンパク質の結晶の状態を検出するステップを含む、
請求項１０〜１２のいずれか１項記載のタンパク質結晶成長方法。
【請求項１４】
前記タンパク質の結晶の状態を検出するステップにおいては、前記タンパク質における結晶の成長状態、及び／又は、前記タンパク質における結晶表面の溶解状態を検出する、
請求項１３記載のタンパク質結晶成長方法。
【請求項１５】
前記チャンバー部内に前記タンパク質の種結晶を予め収容した状態、又は、前記チャンバー部内で前記タンパク質の種結晶を形成させた状態から、前記チャンバー部内を減圧し、前記混合液中の水分を蒸発させることにより、前記タンパク質及び前記結晶化剤の溶解状態図において、前記混合液の状態を、前記未飽和領域から前記自動核形成領域へ遷移させて前記種結晶の成長を開始した後、前記チャンバー部内の減圧を停止し、前記タンパク質溶液中の前記タンパク質を前記タンパク質の結晶の成長に用いて前記混合液中の前記タンパク質の濃度を低下させることにより、前記混合液の状態を、前記自動核形成領域から前記準安定領域を経て前記未飽和領域へ遷移させる、
請求項１０〜１４のいずれか１項記載のタンパク質結晶成長方法。
【請求項１６】
前記未飽和領域に到達した前記混合液に、前記タンパク質溶液を供給して前記混合液中の前記タンパク質濃度を増加させる、
請求項１５記載のタンパク質結晶成長方法。
【発明の詳細な説明】
【技術分野】
【０００１】
本発明は、タンパク質結晶成長装置、及びその方法に関する。
【背景技術】
【０００２】
タンパク質は、複雑な生命現象を支える根幹的な働きを担っており、例えば、多くの疾病・疾患はタンパク質の様々な働きの異常（機能異常）に起因することが知られている。そこで、例えば、特定の疾患に関連又は関与するタンパク質の構造及び機能を解析することにより、そのタンパク質の働きを調節・制御することが可能な化合物等を予見ることができ、創薬プロセスの機関と費用を大幅に短縮することが可能と考えられている。
【０００３】
かかるタンパク質の立体構造を決定するために、現在、最も頻繁に使用されている手法は、タンパク質の単結晶を試料として用いたX線回折法によるX線構造解析である。これまで、非常に多くのタンパク質の立体構造が原子レベルで決定され、生命科学の理解に多大な貢献をもたらしてきた。
【０００４】
一方、タンパク質のなかには、それ自体、又は、それを含んだものが酵素として生体内の種々の反応を引き起こすが、タンパク質の酵素活性に関与するのは、殆どの場合、水素原子（プロトン）、水素イオン、水分子中の水素原子であり、これらの水素化学種を観測することが、タンパク質が酵素として働く作用機序の解明には必須である。
【０００５】
しかし、上述のX線回折法は、X線と原子内の電子による散乱を利用するものであり、また、原子番号が大きい原子ほど回折強度への寄与が大きくなるため、水素原子の電子によるX線の散乱は、通常、その検出は非常に困難か、或いは、検出限界以下となり観測することができない。特に、電子を欠いたプロトンの観察は原理的に不可能である。これに対し、回折手法のなかでも、中性子（線）回折法を用いた中性子構造解析は、中性子（線）の質量がプロトンと同等であって弾性散乱を生じ易いことから、水素原子やプロトンに対する回折強度が比較的大きく、そのため、タンパク質中の水素原子やプロトンの位置情報（原子座標）を高い精度で観測することができる利点がある。
【発明の概要】
【発明が解決しようとする課題】
【０００６】
このような中性子回折法は、中性子源から放出される中性子をコリメートしてタンパク質中に存在する原子核に照射させ、その中性子の散乱角度及び強度を測定することにより、タンパク質中の水素原子やプロトンの位置情報を選択的に取得し、それらを含むタンパク質の立体構造を解析する。このとき、中性子強度（フラックス：１秒間に単位面積を通過する中性子数）はX線強度と比べてほぼ１０桁小さいため、小さい中性子強度を補い、検出感度を高めるには、本発明者の知見によれば、タンパク質の結晶体積を例えば１ｍｍ3以上となるように大きく、且つ、良質の結晶を成長させ中性子回折実験に供する必要がある。
【０００７】
しかし、これまでのところ、１ｍｍ3以上の大型の良質なタンパク質結晶を再現性よく形成することは困難であった。ここで、一般に、結晶中のタンパク質分子は、結晶の対称性に従って３次元的に規則正しく配列（配置）され、個々のタンパク質分子は、その周囲を、例えば水分子によって隙間なく取り囲まれており、タンパク質結晶において水分子が占める割合は３０〜７０％程度である。そうすると、例えば、１ｍｍ3のタンパク質結晶中のタンパク質の量は、０．３〜０．７ｍｇ程度となる。一方、タンパク質の結晶化で使用される蒸気拡散法で、例えば濃度３０ｍｇ／ｍｌのタンパク質水溶液を２０μｌ用いたとすると、その中には、０．６ｍｇのタンパク質分子が溶解していることになるから、量的には、１ｍｍ3のタンパク質結晶を作成するには十分である。
【０００８】
ところが、かかる蒸気拡散法によっても、１ｍｍ3以上の大型の良質なタンパク質結晶を作製することは極めて困難である。本発明者が鋭意調査検討したところ、通常の結晶化では、水溶液中に多くの小型結晶が個別に形成される傾向にあり、１つの小型結晶に含まれるタンパク質の質量が少なく、1つの大型結晶にはなり得ない。また、単に、タンパク質水溶液の量を増大しても、膨大な数の小型結晶が形成されるだけである。さらに、近時、種結晶を用いた従来のマクロシーディング法によって、タンパク質結晶の大型化が模索されているものの、構造解析には適さない形状（例えば、平板状や針状）の結晶が成長してしまったり、場合によっては、試行錯誤の末に偶発的に大型のタンパク質結晶を形成させることができ得ることもある。しかし、大型の良質なタンパク質結晶を再現性よく成長させる手法は依然として確立されておらず、その歩留まりを向上させることが可能な技術開発が急務となっている。
【０００９】
そこで、本発明は、中性子回折法に使用できる程度の大型の良質なタンパク質結晶を再現性よく成長（形成）させることが可能なタンパク質結晶成長装置、及びその方法を提案する。
【課題を解決するための手段】
【００１０】
このような課題を解決するため、本発明によるタンパク質結晶成長装置は、タンパク質溶液及び結晶化剤溶液が供給されるチャンバー（容器）部と、チャンバー部内に、タンパク質溶液を供給するタンパク質溶液供給部と、チャンバー部内に、結晶化剤溶液を供給する結晶化剤溶液供給部と、チャンバー部内に収容されたタンパク質溶液及び結晶化剤溶液の混合液におけるタンパク質の濃度と結晶化剤の濃度との関係を、タンパク質及び結晶化剤の溶解状態図における未飽和領域と、準安定領域と、自動核形成領域との間で、調節する制御部とを備える。なお、タンパク質溶液及び結晶化剤溶液は、予め混合されて「混合液」とされていてもよく、また、タンパク質溶液とは、タンパク質のいわゆる「原液」でもよく、適宜の濃度に調製した水溶液等であってもよいし、結晶化のための他の適宜の試薬を含んでいても構わない。
【００１１】
すなわち、本発明は、タンパク質の大型且つ良質の結晶を、後述する「タンパク質及び結晶化剤の溶解状態図」を利用し、チャンバー部内に収容したタンパク質及び結晶化剤の混合液中におけるタンパク質及び結晶化剤の濃度を適宜調節することにより、小粒の結晶が多く形成されてしまうことを抑止することを企図したものである。
【００１２】
より具体的な装置構成としては、例えば、制御部に接続され、且つ、チャンバー部内に不活性ガスを供給する不活性ガス供給部と、制御部に接続され、且つ、チャンバー部内を減圧する減圧部と、制御部に接続され、且つ、容器内の減圧を停止する減圧停止部と、制御部に接続され、且つ、容器内を加圧する加圧部とを備えていてもよい。また、タンパク質溶液供給部及び結晶化剤溶液供給部も前記制御部に接続されていてもよい。
【００１３】
このように構成されたタンパク質結晶成長装置においては、制御部が各部に接続され、各部を制御するようにされており、例えば、まず、制御部によりチャンバー部内の圧力が所望に制御される。換言すれば、制御部により、チャンバー部内に収容された混合液の水分蒸発が調整され、その混合液中からタンパク質結晶の形成及び成長が行われる。具体的には、制御部によって減圧部を制御し、チャンバー部内を減圧することにより、混合液中の水分が蒸発してタンパク質の濃度が上昇する。これにより、混合液が自動核形成領域に入るとタンパク質結晶が混合液から析出する。これにより、混合液中のタンパク質の濃度が降下し、また、制御部が減圧停止部を制御して、チャンバー部内の減圧を停止することにより、混合液は準安定領域に入る。そこでは新たな核形成は起きないので、混合液中のタンパク質はその結晶成長に消費されるので、多くの種結晶が形成されることなく、１つのタンパク質結晶が有意に成長する。これと同時に混合液中のタンパク質の濃度が降下し、溶解度曲線に到達すると結晶成長が停止する。そこで、制御部がタンパク質溶液供給部を制御して、タンパク質溶液を混合液に追加注入する。混合液は未飽和領域に入り、結晶表面は若干溶解する。これは結晶表面を清浄にすることにも繋がる。その後、制御部が再びチャンバー部内を準安定領域に達するよう減圧することにより、タンパク質結晶成長が再開され得る。
【００１４】
さらに、チャンバー部は、成長するタンパク質の結晶を保持する基板を備え、基板は、不活性ガスが供給され、且つ、タンパク質溶液及び結晶化剤溶液又は混合液が注入されるホール部と、不活性ガスが流通する第１経路と、タンパク質溶液が流通する第２経路とを有し、第１経路は、ホール部の上部と基板の端部とを接続し、且つ、基板の上面に沿って形成され、第２経路は、ホール部の下部と基板の端部とを接続し、且つ基板の底面に沿って形成される構成が挙げられる。
【００１５】
このようにすれば、チャンバー部の基板に形成されたホール部でタンパク質の結晶成長が行われる。また、基板に設けられた各経路により、不活性ガスはホール部の上部からホール部に流入され、タンパク質の原液はホール部の下部からホール部に注入されるので、本発明者の知見によれば、その結果、タンパク質の結晶成長をより高度に制御することが可能となる。
【００１６】
また、制御部は、減圧部と減圧停止部とを交互に及び／又は繰り返し動作させるように構成しても好ましい。
【００１７】
さらに、制御部に接続され、且つ、タンパク質の結晶の状態を検出する検出部を有してもよく、この場合、検出部は、タンパク質における結晶の成長状態、及び／又は、タンパク質における結晶表面の溶解状態を検出するものが挙げられる。このように、結晶成長させるタンパク質の状態を検出することにより、所望の性状のタンパク質結晶をより確実に成長させ易くなる利点がある。
【００１８】
また、本発明によるタンパク質結晶成長装置は、制御部の動作に着目すれば、制御部は、チャンバー部内にタンパク質の種結晶が予め収容された状態、又は、チャンバー部内でタンパク質の種結晶が形成された状態から、減圧部を動作させてチャンバー部内を減圧し、混合液中の水分を蒸発させることにより、タンパク質及び結晶化剤の溶解状態図において、混合液の状態を、未飽和領域から自動核形成領域へ遷移させて種結晶の成長を開始した後、減圧停止部を動作させてチャンバー部内の減圧を停止させ、タンパク質溶液中のタンパク質をタンパク質の結晶の成長に用いて混合液中のタンパク質の濃度を低下させることにより、混合液の状態を、自動核形成領域から準安定領域を経て前記未飽和領域へ遷移させるものである。また、制御部は、タンパク質溶液供給部を動作させて未飽和領域に到達した混合液に、その後、タンパク質溶液を供給（追加）して混合液中のタンパク質濃度を増加させるように構成しても有用である。
【００１９】
また、本発明によるタンパク質結晶成長方法は、特に、本発明によるタンパク質結晶成長装置を用いて有効に実行することができる方法であって、チャンバー部内に、タンパク質溶液を供給するステップと、チャンバー部内に、結晶化剤溶液を供給するステップと、チャンバー部内に収容されたタンパク質溶液及び結晶化剤溶液の混合液におけるタンパク質の濃度と結晶化剤の濃度との関係を、タンパク質及び結晶化剤の溶解状態図における未飽和領域と、準安定領域と、自動核形成領域との間で、調節するステップを含む。
【００２０】
またさらに、混合液が収容されたチャンバー内を不活性ガスで置換するステップと、チャンバー部内にタンパク質の種結晶を予め収容した状態、又は、チャンバー内でタンパク質の種結晶を形成させた状態から、チャンバー部内を減圧するステップと、タンパク質の結晶が成長を開始したときに、チャンバー部内の減圧を停止するステップと、タンパク質の結晶表面が溶解したときに、混合液にタンパク質溶液を供給するステップとを更に含んでもよい。
【００２１】
また、この場合、減圧するステップと、減圧を停止するステップとを交互に及び／又は繰り返し実行するようにしても好適である。
【００２２】
さらに、タンパク質の結晶の状態を検出するステップを含んでもよく、このとき、タンパク質の結晶の状態を検出するステップにおいては、タンパク質における結晶の成長状態、及び／又は、タンパク質における結晶表面の溶解状態を検出するようにしてもよい。
【００２３】
また、換言すれば、本発明によるタンパク質結晶成長方法は、チャンバー部内にタンパク質の種結晶を予め収容した状態、又は、チャンバー部内でタンパク質の種結晶を形成させた状態から、チャンバー部内を減圧し、混合液中の水分を蒸発させることにより、タンパク質及び結晶化剤の溶解状態図において、混合液の状態を、未飽和領域から自動核形成領域へ遷移させて種結晶の成長を開始した後、チャンバー部内の減圧を停止し、タンパク質溶液中のタンパク質をタンパク質の結晶の成長に用いて混合液中のタンパク質の濃度を低下させることにより、混合液の状態を、自動核形成領域から準安定領域を経て未飽和領域へ遷移させる方法であり、この場合、未飽和領域に到達した混合液に、タンパク質溶液を追加供給して混合液中のタンパク質濃度を増加させるようにしてもよい。
【発明の効果】
【００２４】
本発明によれば、蒸気拡散法による結晶育成方法を応用し、すなわち、結晶化剤（リザーバー）溶液との蒸気圧差を用いることなくタンパク質溶液（滴）中の蒸気圧を制御することにより、タンパク質を、所望の大きさであって、且つ、良質な結晶に、しかも再現性よく成長せしめることができるとともに、結晶育成を不活性ガス雰囲気下で実施するので、タンパク質の結晶表面の酸化をも防止することができる。
【図面の簡単な説明】
【００２５】
【図１】本発明によるタンパク質結晶成長装置の一実施形態の概略構成を示すブロック図である。
【図２Ａ】図１に示すタンパク質結晶成長装置１の要部を模式的に示す上面図である。
【図２Ｂ】同タンパク質結晶成長装置１の要部を模式的に示す側面図である。
【図３】図２Ａにおけるチャンバー部３をＩＩＩ−ＩＩＩ線に沿って示す断面図である。
【図４】タンパク質の結晶成長の相図の一例を示す溶解状態図である。
【図５】従来のハンギングドロップ法の一例を示す溶解状態図である。
【図６】図６に示す従来のハンギングドロップ法の一例を用いてタンパク質の結晶成長を行っている状態を示す概略図である。
【図７】本発明の一実施形態に基づいてタンパク質の結晶成長の相図の一例を示す溶解状態図である。
【図８】本発明の一実施形態で用いるタンパク質及び結晶化剤（リザーバー）溶液の混合液の濃度の一例を示す溶解状態図である。
【図９】図２Ａにおけるチャンバー部３の側面図である。
【発明を実施するための形態】
【００２６】
以下、本発明の実施の形態について、図面を参照して説明する。なお、図面中、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本発明を説明するための例示であり、本発明をその実施の形態のみに限定する趣旨ではない。さらに、本発明は、その要旨を逸脱しない限り、さまざまな変形が可能である。
【００２７】
（１）タンパク質結晶成長装置の構成
図１は、本発明によるタンパク質結晶成長装置の一実施形態の概略構成を示すブロック図であり、図２Ａは、図１に示すタンパク質結晶成長装置１の要部を模式的に示す上面図であり、図２Ｂは、同タンパク質結晶成長装置１の要部を模式的に示す側面図である。同図に示す如く、タンパク質結晶成長装置１は、制御部２とチャンバー部３を備えており、さらに、それらに接続された気圧調整部４、ガス調整部５、注入部６、センサー部７、及び検出部８を含んで構成されている。
【００２８】
制御部２は、気圧調整部４、ガス調整部５、注入部６、センサー部７、及び検出部８の各部の制御を行うものであって、例えばＣＰＵ、プロセッサなどの電子回路であってもよく、又は、通常のコンピュータ装置、専用化したシステム、若しくは汎用の情報処理装置のいずれであってもよい。さらに、例えば、一般的な構成の情報処理装置において、後述するタンパク質結晶成長方法における各処理のアルゴリズムを含む（プログラミングされた）ソフトウェアを実行することにより、本実施形態の制御部２として動作させることもできる。
【００２９】
チャンバー部３は、タンパク質の結晶を成長させる密閉空間を画成するものであり、チャンバー部３内に設けられた結晶成長基板３１を用いて、大型で且つ良質なタンパク質の結晶を作製するものである。本実施形態のチャンバー部３は、その体積が、例えば、１０6ｍｍ3の無色透明な密閉容器であって、少なくとも１ヶ月以上、気密性の保持が可能な容器を用いことができる。なお、チャンバー部３の詳細な構成については後述する。
【００３０】
また、気圧調整部４は、制御部２の指示に基づき、チャンバー部３内を所望の圧力（蒸気圧）に調整し、該調整を停止する。より具体的には、気圧調整部４は、チャンバー部３内の圧力を加圧又は減圧する。この点において、気圧調整部４は、本発明における「加圧部」、「減圧部」、及び「減圧停止部」を兼ねる。この気圧調整部４は、例えば、シリンジ４１から構成されており（図２Ａ参照）、シリンジ４１の一端がチャンバー部３の接続部３５に接続されている。シリンジ４１の一端とチャンバー部３の接続部３５との間には、例えば電磁弁４２等の適宜の開閉弁が設けられており、制御部２の指示に基づいて、その電磁弁４２が開閉される。
【００３１】
一方、ガス調整部５（不活性ガス供給部）は、制御部２の指示に基づき、チャンバー部３内を所望のガス成分に調整する機能を有する。ガス調整部５は、タンパク質の結晶の成長を開始する前に、チャンバー部３内の大気（空気）をチャンバー部３外へ放出し、チャンバー部３内に不活性ガス（例えば、希ガスや窒素ガス）を供給し、供給した不活性ガスを所望の気圧に調整する。
【００３２】
このガス調整部５は、図２Ａに示すとおり、例えば、ガスレギュレータ５１、ガス流量調整器５２、不活性ガス供給バルブ５３、及び大気開放バルブ５４を有している。ガス調整部５は、ガス圧を一定に保持するガスレギュレータ５１とガス流量調整器５２とが接続され、また、該調整器５２と不活性ガス供給バルブ５３、及び大気開放バルブ５４とが接続され、さらに、各バルブ５３，５４とチャンバー部３とが接続されてなるものである。なお、本実施形態では、ガス流量調整器としてマスフローコンローラ（ＭＦＣ：Mass Flow Controller）を使用し、不活性ガスの流量制御を行うが、制御部２自体にＭＦＣの機能を設けて、ＭＦＣを割愛してもよい。また、不活性ガス供給バルブ５３、及び大気開放バルブ５４の開閉も、ガス流量調整器５２又は制御部２の指示に基づいて行うことができる。
【００３３】
さらに、注入部６は、制御部２の指示に基づき、タンパク質の結晶を成長させるための各種試薬を、所望のタイミングでチャンバー部３に適量注入する。注入部６は、例えば、タンパク質の原液（タンパク質溶液）を保持しているタンパク質注入部６１（タンパク質溶液供給部）、及び結晶化剤（沈殿剤）溶液を保持している結晶化剤注入部６２（結晶化剤溶液供給部）を有している。
【００３４】
結晶化剤の種類としては、特に制限されず、例えば、無機塩（硫酸アンモニウム、硫酸ナトリウム、硫酸リチウム、塩化ナトリウム、塩化カリウム、塩化アンモニウム、塩化リチウム、酢酸アンモニウム、酢酸ナトリウム、リン酸アンモニウム、リン酸ナトリウム、又はリン酸カリウム）、ポリエチレングリコール（ＰＥＧ）（例えば、ＰＥＧ４００、ＰＥＧ１０００、ＰＥＧ４０００、ＰＥＧ６０００、ＰＥＧ１００００）、又は、有機化合物（２−メチル−２，４−ペンタネジオール（ＭＤＰ）、イソプロプロパノール、エタノール、メタノール、ジオキサン、ブタノール、プロパノール）等が挙げられる。
【００３５】
本実施形態では、タンパク質注入部６１、及び結晶化剤注入部６２に加え、水注入部６３が設けられており、水注入部６３には水が保持されている。また、各種注入部６１，６２，６３は、例えば、シリンジで構成されており（図２Ａ参照）、シリンジの一端がチャンバー部３に接続されている。各シリンジの一端とチャンバー部３との間には、それぞれ、例えば電磁弁６４，６５，６６等の適宜の開閉弁が設けられており、制御部２の指示に基づき、電磁弁６４，６５，６６が開閉される。例えば、制御部２の指示により、タンパク質注入部６１から１μｌ（マイクロリットル）／回、結晶化剤注入部６２から５μｌ／回、水注入部６３から１μｌ／回の液量がチャンバー部３内に注入（供給）される。
【００３６】
なお、各種注入部６１，６２，６３の形態は、本実施形態のシリンジには限られず、適量の各種試薬が所望のタイミングでチャンバー部３に注入されればよい。
【００３７】
また、センサー部７は、チャンバー部３内の温度又は気圧（圧力）を検出する。本実施形態におけるセンサー部７は、温度センサー７１、及び気圧センサー７２を有し、各センサー７１，７２が、それぞれ、チャンバー部３の温度又は気圧を検出する。温度センサー７１は、チャンバー部３内の温度を測定できるように結晶成長基板３１上に設けられており、気圧センサー７２は、チャンバー部３の結晶成長基板３１に設けられたホール部３２内の気圧を測定できるように、そのホール部３２内に設けられている。さらに、センサー部７には、モニター７３が設けられていることが好ましく、この場合、各センサー７１，７２により検出された各検出値がモニター７３に表示される。センサー部７で検出された検出値に応じて、制御部２が予め設定されているしきい値（基準温度及び基準気圧）を超えないように制御することができる。
【００３８】
検出部８は、タンパク質の結晶の成長過程（結晶成長の程度）を検出するためのものである。本実施形態における検出部８は、チャンバー部３の背面に、例えばＣＣＤカメラ等の撮像装置８１及びモニター８２が備えられており、撮像装置８１で検出した結晶画像がモニター８２に表示される。モニター８１に表示された結晶の成長状況に応じて、制御部２が各部に所定の指示を行い、チャンバー部３内の気圧（蒸気圧）を制御するように構成されている。本実施形態では、撮像装置８１とモニター８２とは別体に設けられていてもよく、或いは、結晶の撮像及び表示を一体で行える機器を用いても、もちろんよい。
【００３９】
（２）チャンバー部の構成
図２Ａに示す如く、チャンバー部３は、その略中央に結晶成長基板３１が配置されている。チャンバー部３の一側面には、各種注入部６１，６２，６３がそれぞれ接続される各接続部３３が設けられており、それらの各接続部３３を介して、各種注入部６１，６２，６３が結晶成長基板３１に接続されている。また、チャンバー部３の他側面には、ガス調整部５が接続される各接続部３４が設けられており、それらの各接続部３４を介して、ガス調整部５が結晶成長基板３１に接続されている。
【００４０】
ここで、図３は、図２Ａにおけるチャンバー部３（特に、結晶成長基板３１）をＩＩＩ−ＩＩＩ線に沿って示す断面図である。結晶成長基板３１は、主として、一定の画成された空間としてのホール部３２、ガス接続部３６、ガス経路部３７、水溶液接続部３８、及び水溶液経路部３９を含んで構成されている。
【００４１】
ホール部３２は、結晶成長基板３１の略中央に形成され、底面を有し、且つ、該底面から上面に向かって筒状のホールが形成された容器である。ホール部３２には、図９に示すように、注入部６からタンパク質及び結晶化剤の混合液１５が注入され、例えば、その混合液にタンパク質の種結晶１６が混入される。なお、ホール部３２は、カバーガラス９で覆われるようにされており、カバーガラス９は、気圧センサー７２をホール部３２に挿入するための貫通孔ｈを有している。
【００４２】
ガス接続部３６は、結晶成長基板３１の上面に形成され、ガス調整部５と結晶成長基板３１とを接続する。図２Ａに示すとおり、本実施形態では、ガス接続部３６は、結晶成長基板３１の上面の図示向かって左側に３箇所形成されているが、ホール部３２にガスを注入できればよく、員数や配置はこの形態に限定されない。
【００４３】
ガス経路部３７は、ガス接続部３６とホール部３２とを結ぶ経路であり（図３参照）、ホール部３２から放射状に基板３１内部に形成されている（図２Ａ参照）。ガス経路部３７は、ガス調整部５から送出される不活性ガスが、ガス経路部３７を通ってホール部３２に流入する。ガス経路部３７は、図３に示すとおり、結晶成長基板３１のガス接続部３６からホール部３２の上部側面３２１に到達するように、結晶成長基板３１の上面３１１近傍に沿って形成されている。
【００４４】
水溶液接続部３８は、結晶成長基板３１の上面に形成され、注入部６と結晶成長基板３１とを接続する。図２Ａに示すとおり、水溶液接続部３８は、結晶成長基板３１の上面３１１の図示向かって右側に３箇所形成されており、各接続部３８は、紙面手前からタンパク質水溶液注入部６１、結晶化剤水溶液注入部６２、及び水注入部６３に接続されている。なお、水溶液接続部３８は、ホール部３２にタンパク質水溶液及び結晶化剤水溶液の混合液を作製できればよく、この形態に限定されない。
【００４５】
水溶液経路部３９は、水溶液接続部３８とホール部３２とを結ぶ経路であり、図２Ａに示すとおり、ホール部３２から放射状に基板３１内部に形成されている。注入部６１〜６３から送出される各種水溶液が、水溶液経路部３９を通ってホール部３２に流入する。水溶液経路部３９は、図３に示すとおり、結晶成長基板３１の水溶液接続部３８からホール部３２の底部側面３２２に沿って底面３２３に到達するように、結晶成長基板３１の底面３１２近傍に沿って形成されている。
【００４６】
（３）従来の一般的なタンパク質の結晶成長方法
このように構成されたタンパク質結晶成長装置１を用いて本発明によるタンパク質の結晶成長方法における手順（工程）を説明する前に、従来、一般に用いられてきたタンパク質の結晶化方法について、図４を参照して説明する。
【００４７】
図４は、タンパク質の結晶成長の相図の一例を示す溶解状態図である。本図に示す溶解状態図は、言わば、タンパク質の溶解状態を示すものであり、縦軸はタンパク質濃度（Cp）を示し、横軸は結晶化剤濃度（Cc）を示す。この相図を示す溶解状態図においては、溶解度曲線Ｃ１を境界として、未飽和領域Ａ１と過飽和領域Ａ２，Ａ３に区分され、さらに過飽和領域Ａ２，Ａ３は、過飽和曲線Ｃ２を境に準安定領域Ａ２と自動核形成領域Ａ３とに区分される。
【００４８】
未飽和領域Ａ１は、溶解度曲線Ｃ１を下回る領域であり、タンパク質の結晶核を形成することなくタンパク質が溶解・分散されている領域である。準安定領域Ａ２は、溶解度曲線Ｃ１と過飽和曲線Ｃ２との間に位置する領域であり、結晶核が形成（発生）されることはないが、例えば、種結晶や既に結晶核が存在する場合、その結晶が成長する領域である。自動核形成領域Ａ３は、過飽和曲線Ｃ２を上回る領域であり、タンパク質の分子同士の相互作用によって結晶核が形成される領域である。
【００４９】
かかる相図に基づくと、理想的なタンパク質の結晶を形成するためには、次のような点が必要であることが理解されるであろう。第１に、結晶化する前はタンパク質が完全に溶解した未飽和領域に存在することが必要である。第２に、あまりに高い結晶化剤濃度では結晶核が形成する確率が高すぎて多くの結晶が形成されてしまうことから、良質な結晶核を形成するためには、準安定領域Ａ２になるべく近い自動核形成領域Ａ３で結晶核を成長させることが必要である。第３に、結晶核の成長は自動核形成領域Ａ３でも行われるが、結晶を大きく育成させるためには、新しい核形成を伴わない準安定領域Ａ２で行うことが必要である。第４に、結晶の成長は、タンパク質分子の結晶への取り込みと溶解とが平衡状態を実現する溶解度曲線上に達すると停止する。
【００５０】
しかし、従来は、タンパク質の結晶化が行われる現象としてかかる相図に則った方式である、タンパク質を結晶化する手法の１つである蒸気拡散法を用いて、広く行われていたが、相図を強く意識しては行われてはいなかった。
【００５１】
かかる蒸気拡散法は、タンパク質溶液中の水分を蒸発させ、タンパク質の濃度を徐々に上昇させることによって、タンパク質溶液からタンパク質を析出させて結晶を得る手法である。このような蒸気拡散法の代表的な手法としては、例えば、ハンギングドロップ法やシッティングドロップ法と呼ばれる手法が用いられている。ここでは、図５及び図６を参照して、ハンギングドロップ法について説明し、シッティングドロップ法も原理的にほぼ同様であるので、ここでの説明は省略する。
【００５２】
ハンギングドロップ法によりタンパク質の結晶化を実現させるためには、図５に示すように、まずタンパク質溶液（水分子、結晶化剤分子、及びタンパク質分子を含む溶液）とリザーバー（結晶化剤）水溶液１１とを用意する。次に、リザーバー容器１２に十分な量のリザーバー水溶液を入れる。そして、タンパク質溶液をカバーガラス１３の上に滴下させ（以下、タンパク質溶液滴１０という。）、リザーバー容器１２にそのカバーガラス１３を吊るす。
【００５３】
このような状態において、タンパク質溶液滴１０中の結晶化剤濃度（Cci）は、リザーバー水溶液中の濃度に比して低いので、タンパク質溶液滴１０の蒸気圧はリザーバー（結晶化剤）水溶液１１中の蒸気圧に比べて高いので、タンパク質溶液滴１０中から水分が蒸発する。その結果、タンパク質溶液滴１０中のタンパク質濃度（Cpi）が、結晶化剤濃度（Cci）ともに上昇し、やがて自動核形成領域Ａ３に到達すると、自動的に結晶核が形成され、結晶化が開始される。タンパク質溶液滴１０中の結晶化剤濃度（Cc）が、リザーバー水溶液１１中の結晶化剤濃度(Ccr)と同濃度に到達した時点で両方の溶液の蒸気圧が等しくなるので、タンパク質溶液滴１０中の水分蒸発が停止する。このように、ハンギングドロップ法に基づくタンパク質の結晶成長工程は、図５に示すように、原点を通る右上がりの直線（始点 (Cci ，Cpi,)，終点 (Ccr ，Cpf））で表すことができる。
【００５４】
ここで、蒸気拡散法におけるリザーバー水溶液１１は、上述の如く、タンパク質溶液滴１０から水分を蒸発させ、タンパク質溶液滴１０中の結晶化剤濃度（Cc）が、リザーバー水溶液１１中の結晶化剤濃度（Ccr）と同濃度に到達した時点で、タンパク質溶液滴１０中から水分の蒸発を停止させるといったタンパク質溶液滴１０中の蒸気圧を制御する機能（役割）を有している。しかし、前述した如く、かかる従来の結晶成長方法では、大型で且つ良質のタンパク質結晶を再現性よく作製できないのが現状である。
【００５５】
（４）本発明によるタンパク質の結晶成長方法
そこで、本発明者らが詳細に鋭意研究した結果、タンパク質の結晶を成長させる上で構成要素の１つとなっていたリザーバー水溶液との蒸気圧差を使用することなくタンパク質溶液滴中の蒸気圧を制御する方法を見出し、本発明を完成するに至った。かかる制御方法を説明する前に、タンパク質結晶成長装置１を用いた本実施形態の制御方法の実現性について、先に説明する。
【００５６】
（４−１）蒸気圧制御の検討
まず、液体に不揮発性の物質を溶かすとその水溶液の蒸気圧は溶質濃度に比例して減少する（ラウールの法則）。純溶媒（例えば、純水）の蒸気圧をＰｏとした場合、水溶液の蒸気圧降下ΔＰは下記式（１）で示される。
ΔＰ＝（ｎ2／ｎ1）Ｐｏ    …（１）
式中、ｎ1は、純溶媒のモル数を示し、ｎ2は、溶質のモル数を示す。
【００５７】
ここで、Ｐｏ＝７６０mmHg（１気圧）のときに、結晶剤として、例えば塩化ナトリウムを５ｗｔ％使用した場合には、塩化ナトリウムのモル質量（分子量）は約５８．５gmol-1、水のモル質量は１８gmol-1なので、式（１）より、モル分率（ｎ2／ｎ1）は約０．０１４２となり、水溶液の蒸気圧降下ΔＰ＝１０．８mmHgとなる。
【００５８】
また、別の結晶剤として例えばＰＥＧ４０００を５０ｗｔ％使用した場合には、ＰＥＧ４０００のモル質量は約４０００gmol-1、水のモル質量は１８gmol-1なので、式（１）より、モル分率（ｎ2／ｎ1）は０．００２５になり、水溶液の蒸気圧降下ΔＰ＝１．９mmHgとなる。
【００５９】
このように、タンパク質溶液滴中の蒸気圧を制御することができれば、リザーバー水溶液との蒸気圧差を使用することなく、タンパク質の結晶を確実に成長させることが可能になる。そこで、タンパク質結晶成長装置１では、タンパク質及び結晶化剤からなる混合水溶液を用いて、チャンバー部３の気圧を制御することにより、タンパク質溶液滴中の蒸気圧を制御する。
【００６０】
（４−２）チャンバー部３における蒸気圧変化の検討
次に、タンパク質結晶成長装置１のチャンバー部３における蒸気圧変化について検討する。チャンバー部３内の温度が一定のとき、チャンバー部３内の体積と気圧との積は一定になることから（ボイルの法則）、気圧変化ΔＰ及び体積変化ΔＶの関係は、下記式（２）で表わされる。
（ΔＰ／Ｐ）＝−（ΔＶ／Ｖ）    …（２）
【００６１】
ここで、タンパク質結晶成長装置１のチャンバー部３内の最大体積変化を（ΔＶ）max、最小体積変化を（ΔＶ）min、チャンバー部３内の最大気圧変化を（ΔＰ）max、及び最小気圧変化を（ΔＰ）minとすると、最大気圧変化（ΔＰ）max、及び、最小気圧変化（ΔＰ）minは、それぞれ、下記式（３）及び式（４）により求めることが可能となる。
（ΔＰ）max＝−Ｐ（ΔＶ）max／Ｖ  …（３）
（ΔＰ）min＝−Ｐ（ΔＶ）min／Ｖ  …（４）
【００６２】
一例として、タンパク質結晶成長装置１のチャンバー部３の（ΔＶ）maxを３０×１０3mm3、（ΔＶ）minを０．３×１０3mm3とし、それぞれの値を、上記式（３）及び式（４）に代入すると、（ΔＰ）maxは２２ｍｍＨｇ、（ΔＰ）minは０．２ｍｍＨｇとなる。
【００６３】
以上の例では、タンパク質結晶成長装置１のチャンバー部３は、タンパク質の結晶を成長させるために０．２〜２２ｍｍＨｇの間での蒸気圧変化を可能としている。
【００６４】
（４−３）チャンバー部３における蒸気圧降下の検討
水Mμｌ蒸発させるために要する蒸気圧の降下値ΔＰを検討すると、まず、水１μｌが水蒸気になった場合に占める体積Ｖは、１．２４×１０3mm3であるので、上述の如く式（２）に代入すると、水Mμｌ蒸発させるために要する蒸気圧の降下値ΔＰは、下記式（５）で表わされる。
ΔＰ＝−ＰＭ（１．２４／１０3）＝−１．２４×１０-3ＰＭ  …（５）
ゆえに、水１μｌ（Ｍ＝１）を１気圧（Ｐ＝７６０ｍｍＨｇ）下で蒸発させるためには、タンパク質結晶成長装置１が−０．９４ｍｍＨｇの減圧を行えばよいことになる。
【００６５】
（４−４）本発明によるタンパク質の結晶成長方法
次に、溶解状態図による結晶成長相図に基づいて、本実施形態におけるタンパク質の結晶成長工程について説明する。図７は、本発明の一実施形態に基づいてタンパク質の結晶成長の相図の一例を溶解状態図であり、図８は、本発明の一実施形態で用いるタンパク質及び結晶化剤（リザーバー）溶液の混合液の濃度の一例を示す溶解状態図である。また、図９は、図２Ａにおけるチャンバー部３の側面図である。
【００６６】
まず、図９に示すとおり、チャンバー部３内のホール部３２に、タンパク質注入部６１から注入されたタンパク質、結晶化剤注入部６２から注入された結晶化剤、及び水注入部６３から注入された水からなる混合水溶液１５（混合液）が注入され、混合水溶液１５にタンパク質の種結晶１６を入れる。このとき、溶解状態図上では、タンパク質の状態は、タンパク質濃度（Cpa）と、結晶化剤濃度（Cca）とが（ｍ１＋ｍ２）：ｍ３となる初期状態（CdropA：Va）に位置する（図７に示すプロセスＰ０）。
【００６７】
制御部２は、気圧調整部４に対し、チャンバー部３が減圧するように制御し、混合水溶液１５中の水分を蒸発させていくと、図７に示す如く、タンパク質濃度及び結晶化剤濃度が上昇し、原点を通る右上がりの直線上を移動する（図７に示すプロセスＰ１）。
【００６８】
それから、混合水溶液１５の状態（タンパク質濃度及び結晶化剤濃度）が図７に示す過飽和曲線Ｃ２を上回ると、つまり、制御部２が、検出部８での検出結果に基づいて、１個の結晶核が形成し始めたと判断すると、混合水溶液１５中の水分の蒸発を停止させる（図７に示すプロセスＰ２）。これにより、多くの結晶核にタンパク質が分散することを回避し、結晶を大きく成長させることが可能となる。
【００６９】
混合水溶液１５内にあるタンパク質分子は結晶核の成長のために消費されることにより、混合水溶液１５中のタンパク質濃度は低下し、タンパク質の状態は準安定領域Ａ２に到達する（図７に示すプロセスＰ３）。準安定領域Ａ２では、新たな結晶核は形成されないので、プロセスＰ１の工程によって形成された１個の結晶核のみが成長し続ける。混合水溶液１５の状態（タンパク質濃度及び結晶化剤濃度）は、溶解度曲線Ｃ１に到達する（図７に示すプロセスＰ４，CdropB：Vb）と、結晶核の成長が停止する。なお、この段階で結晶核が所望の大きさ（好ましくは１mm3以上）に成長していれば、タンパク質結晶成長装置１の運転を終了する。
【００７０】
続けて、制御部２は、タンパク質注入部６１に接続された電磁弁６４を開放し、混合水溶液１５にタンパク質の原液を所定量注入する（図７に示すプロセスＰ５）。なお、プロセスＰ５における未飽和領域Ａ１では、プロセスＰ２乃至Ｐ４において酸化された結晶核の表面が溶解される。このとき、結晶化剤は注入しないので、混合水溶液１５中のタンパク質の濃度が上昇する（濃くなる）一方、混合水溶液１５中の結晶化剤の濃度は下降し（薄くなり）、混合水溶液１５の状態（タンパク質濃度及び結晶化剤濃度の状態）が初期状態（CdropA：Va）になる（図７に示すプロセスＰ６）。
【００７１】
ここで、タンパク質原液を注入して混合水溶液１５の状態（タンパク質濃度及び結晶化剤濃度）を初期状態（CdropA：Va）にする方法を図８に示す溶解状態図を用いて更に説明する。
【００７２】
本実施形態では、タンパク質原液の濃度及び体積は、それぞれ（Cp0）及び（Vp0）とし、結晶化剤の濃度及び体積は、（Cc0）及び（Ｖc0）とする。また、混合水溶液１５の状態（タンパク質濃度及び結晶化剤濃度）（CdropB）時における混合液中のタンパク質濃度、結晶化濃度、及び体積は、それぞれ（Cpb）、（Ccb）、及び（Ｖb）とする。さらに、混合水溶液１５の状態（タンパク質濃度及び結晶化剤濃度）（CdropA）時における混合液中のタンパク質濃度、結晶化濃度、及び体積は、それぞれ（Cpa）、（Cca）、及び（Ｖa）とする。また、タンパク質原液と結晶化剤とは、下記式（６）乃至式（８）で示される濃度比を有する。
｜０−(Cca)｜＝｜(Cpa)−(Cp0)｜＝ｍ１      …（６）
｜(Cca)−(Ccb)｜＝｜(Cpb)−(Cpa)｜＝ｍ２   …（７）
｜(Ccb)−(Cc0)｜＝｜０−(Cpb)｜＝ｍ３      …（８）
【００７３】
ゆえに、混合水溶液１５の状態（タンパク質濃度及び結晶化剤濃度）（CdropB）では、制御部２は、（Vc0）：（Vp0）＝（ｍ１＋ｍ２）：ｍ３を満たすように混合液を作製し、タンパク質の状態（CdropA）では、（Vb）：（Vp0）＝ｍ１：ｍ２を満たすようにタンパク質の原液を注入すればよい。
【００７４】
制御部２は、再び、気圧調整部４に対し、チャンバー部３内を減圧するように制御し、混合水溶液１５中の水分を蒸発させる（図７に示すプロセスＰ７）。また、制御部２は、検出部８での検出結果に基づいて、１個の結晶核が形成し始めたと判断すると、混合水溶液１５中の水分の蒸発を停止させる（図７に示すプロセスＰ８及びＰ９）。プロセスＰ８における結晶化剤の濃度は、プロセスＰ２におけるその濃度に比して薄いので、混合水溶液１５の状態（タンパク質濃度及び結晶化剤濃度）は、図７において、プロセスＰ２の位置より手前で降下することとなる。
【００７５】
混合水溶液１５の状態（タンパク質濃度及び結晶化剤濃度）が、溶解度曲線Ｃ１に到達すると（図７に示すプロセスＰ１０）、制御部２は、タンパク質注入部６に接続された電磁弁を開放し、混合水溶液１５にタンパク質の原液を所定量注入することで、混合水溶液１５の状態（タンパク質濃度及び結晶化剤濃度）を初期状態（Cdrop）にする（図７に示すプロセスＰ１１）。
【００７６】
以上のとおり、制御部２は、蒸気拡散（プロセスＰ０，Ｐ１，Ｐ２，及びプロセスＰ６，Ｐ７，Ｐ８）、結晶成長（プロセスＰ２，Ｐ３，Ｐ４，及びプロセスＰ８，Ｐ９，Ｐ１０）、結晶核の表面溶解（プロセスＰ４，Ｐ５，Ｐ０，及びプロセスＰ１０，Ｐ１１，Ｐ６）の工程を繰り返し、所望の大きさに成長した結晶核が自動形成領域に到達した際に該結晶核を取り出し、本実施形態の成長工程を終了する。
【００７７】
このような構成を有する本発明によるタンパク質結晶成長装置及びタンパク質結晶成長方法によれば、蒸気拡散法による結晶育成方法を応用し、結晶化剤（リザーバー、沈殿剤）水溶液との蒸気圧差を用いず、その代わりに、タンパク質溶液滴中の蒸気圧を溶解状態図による結晶成長相図に基づいて制御することにより、タンパク質を所望の大きさに、且つ、良質な結晶に再現性よく成長させることができる。よって、かかる大型のタンパク質結晶を中性子回折法によって構造解析する際に、タンパク質中に存在する水由来の原子核（プロトン）に中性子を確実に照射し、その散乱解析によって、タンパク質中の水素原子やプロトンの位置情報を選択的に取得し、それらを含むタンパク質の立体構造をより詳細に解析することが可能となる。
【００７８】
特に、準安定領域Ａ２でタンパク質の結晶核を成長させることにより、従来、蒸気圧差に伴って生じる水分の蒸発を定量的に制御する困難性や、タンパク質溶液滴にタンパク質水溶液を添加する困難性等といった作業上の手間や制御の煩雑さを解決することができる。また、結晶育成を不活性ガス雰囲気下で実施するので、タンパク質の結晶表面の酸化を防止することができる。
【産業上の利用可能性】
【００７９】
以上説明したとおり、本発明のタンパク質結晶成長方法、及びその装置によれば、大型で且つ良質なタンパク質結晶を再現性よく得ることができ、中性子回折法による構造解析によって、タンパク質中の水素原子やプロトンの位置情報を選択的に取得し、それらを含むタンパク質の立体構造をより詳細に解析することが可能となるので、これまで、困難であった類のタンパク質構造解析に広くかつ有効に利用することができる。
【符号の説明】
【００８０】
１…タンパク質結晶成長装置、１５…混合水溶液、１６…種結晶、２…制御部、３…チャンバー部、３１…結晶成長基板、３２…ホール部、３３，３４，３５…接続部、３６…ガス接続部（端部）、３７…ガス経路部（第１経路）、３８…水溶液接続部（端部）、３９…水溶液経路部（第２経路）、４…気圧調整部、４２…電磁弁、５…ガス調整部、５３…窒素ガス供給バルブ、５４…大気開放バルブ、６…注入部、６１…タンパク質注入部、６２…結晶化剤注入部、６３…水注入部、６４，６５，６６…電磁弁、７…センサー部、８…検出部。
【図１】
0005780721.tif 000002
【図２Ａ】
0005780721.tif 000003
【図２Ｂ】
0005780721.tif 000004
【図３】
0005780721.tif 000005
【図４】
0005780721.tif 000006
【図５】
0005780721.tif 000007
【図６】
0005780721.tif 000008
【図７】
0005780721.tif 000009
【図８】
0005780721.tif 000010
【図９】
0005780721.tif 000011